(57)【特許請求の範囲】
【請求項１】
既存のアナログ電話機及びデータ端末装置をＩＳＤＮ回線に接続するために、ＤＳＵ部及びターミナルアダプティング部を内蔵するＩＳＤＮ機器であって、ＩＳＤＮ回線に接続されるＵ点が給電されているか否かを監視する第１の給電監視部と、ＤＳＵ部の出力であるＳ／Ｔ点が給電されているか否かを監視する第２の給電監視部とを備え、前記第１及び第２の給電監視部の監視結果がＵ点及びＳ／Ｔ点が共に給電されている場合と、Ｕ点及びＳ／Ｔ点が共に給電されていない場合は、ターミナルアダプティング部を機能させ、Ｓ／Ｔ点が給電されており、かつ、Ｕ点が給電されていない場合は、ＤＳＵ部を動作させずに、ターミナルアダプティング部のみを動作させ、Ｕ点が給電されており、かつ、Ｓ／Ｔ点が給電されていない場合は、ＤＳＵ部及びターミナルアダプティング部を動作させることを特徴とするＩＳＤＮ機器。
【請求項２】
前記ターミナルアダプティング部が複数設けられ、そのうちの少なくとも１つは、ＤＳＵ部の作動状態によって変更される内部接続状態に関係なく単独で動作可能な機能を有することを特徴とする請求項１記載のＩＳＤＮ機器。
【請求項３】
前記ターミナルアダプティング部がルーティングハブであることを特徴とする請求項１又は２記載のＩＳＤＮ機器。
【請求項４】
Ｕ点及びＳ／Ｔ点の両方が給電されている場合にエラー表示を行うエラー表示部を備えている請求項１記載のＩＳＤＮ機器。
【請求項５】
Ｕ点及びＳ／Ｔ点の両方が給電されている場合に報知音でエラーを知らせるエラー報知音発生部を設けたことを特徴とする請求項１又は４記載のＩＳＤＮ機器。
【発明の詳細な説明】
【０００１】
【発明の属する技術分野】
本発明は、既存のアナログ電話機、データ端末装置（例えばパーソナルコンピュータ）、ＬＡＮ（ローカルエリアヘットワーク）等をＩＳＤＮ回線に接続するためのＩＳＤＮ機器に関する。
【０００２】
【従来の技術】
この種のＩＳＤＮ機器には、ＩＳＤＮ網の終端装置であるＤＳＵ（ディジタルサービスユニット）を内蔵するものと、内蔵せずに外付けで使用するものとがある。ＤＳＵは１回線に１台だけ必要であるので、ＤＳＵを内蔵するＩＳＤＮ機器は通常、ＤＳＵ部を切り離す機能を備えている。それは、ＤＳＵの機能が不要な２台目以降のＩＳＤＮ機器として使用することも可能にするためである。
【０００３】
従来のＩＳＤＮ機器機器では、ＤＳＵ部を切り離す機能はスイッチ等によって実現されており、使用者が自らの判断でスイッチを切り換える必要があった。つまり、使用者はＩＳＤＮ網やシステム構成（各機器の構成、機能、配線等）を十分に知った上で、ＩＳＤＮ機器の内蔵ＤＳＵを使用するか否か（ＤＳＵ部を切り離すか否か）を判断し、機器に対する操作及び配線の接続変更を行う必要があった。
【０００４】
【発明が解決しようとする課題】
上記のように、従来のＤＳＵを内蔵したＩＳＤＮ機器におけるＤＳＵ部を切り離す作業は、ＩＳＤＮ網やシステムの専門家以外の使用者には困難を伴うものであった。
【０００５】
本発明は、上記のような従来の課題に鑑みて、給電監視によってＤＳＵ部の自動切り離しが可能なＩＳＤＮ機器を提供し、機器の設置、配線及び設定を容易なものとすることを目的とする。
【００１０】
本発明によるＩＳＤＮ機器の第１の構成は、既存のアナログ電話機及びデータ端末装置をＩＳＤＮ回線に接続するために、ＤＳＵ部及びターミナルアダプティング部を内蔵するＩＳＤＮ機器であって、ＩＳＤＮ回線に接続されるＵ点が給電されているか否かを監視する第１の給電監視部と、ＤＳＵ部の出力であるＳ／Ｔ点が給電されているか否かを監視する第２の給電監視部とを備え、前記第１及び第２の給電監視部の監視結果がＵ点及びＳ／Ｔ点が共に給電されている場合と、Ｕ点及びＳ／Ｔ点が共に給電されていない場合は、ターミナルアダプティング部を機能させ、Ｓ／Ｔ点が給電されており、かつ、Ｕ点が給電されていない場合は、ＤＳＵ部を動作させずに、ターミナルアダプティング部のみを動作させ、Ｕ点が給電されており、かつ、Ｓ／Ｔ点が給電されていない場合は、ＤＳＵ部及びターミナルアダプティング部を動作させることを特徴とする。
【００１１】
この構成によれば、ＤＳＵ部の切り離しがＵ点及びＳ／Ｔ点の給電監視結果に基づいて自動的に行われるので、ＩＳＤＮ網や機器の知識に乏しい不慣れな使用者であっても、容易に機器を設置し、配線及び設定を行うことができる。
【００１２】
また、ターミナルアダプティング部が複数設けられ、そのうちの少なくとも１つは、ＤＳＵ部の作動状態によって変更される内部接続状態に関係なく単独で動作可能な機能を有することが好ましい。これにより、すぐにＩＳＤＮ回線を導入しない場合であっても、将来に備えてＩＳＤＮ機器の設置や新築時の先行配線を行うことが容易になる。そして、それらの配線や機器機能の一部を有効利用することができる。将来ＩＳＤＮ回線を導入したときに、何ら設定を変えることなく、回線の切り換えと同時に、既に配線されている機器の全ての機能を使用することができる。
【００１３】
また、ターミナルアダプティング部がルーティングハブであることが好ましい。この場合、ＩＳＤＮ回線の導入前であってもＬＡＮ配線及びハブ機能を有効利用することができる。ＩＳＤＮ回線の導入後は、何ら設定を変えることなく、回線の切り換えと同時に、既に配線されている機器の全ての機能を使用することができる。
【００１４】
また、上記の第１の構成において、Ｕ点及びＳ／Ｔ点の両方が給電されている場合にエラー表示を行うエラー表示部を設けることが好ましい。エラー表示によって、意図しなかった配線ミスや機器設定ミスを容易に知ることができるので、使用者及び施行者の作業性、メンテナンス性が向上する。
【００１５】
上記のエラー表示部に代えて、あるいはエラー表示部に加えて、報知音でエラーを知らせるエラー報知音発生部を設けることも好ましい。エラー報知音によって、離れた場所から配線ミスや機器設定ミスを知ることができるので、一人で作業しているときでも容易にエラーの発生を知ることができ、作業性及びメンテナンス性が向上する。
【００１６】
【発明の実施の形態】
以下、図面を参照しながら本発明の実施形態を説明する。
【００１７】
図１は、本発明の第１実施形態によるＩＳＤＮ機器の構成を示すブロック図である。ＩＳＤＮ機器１０は、ＤＳＵ部１１とＴＡ部（ターミナルアダプティング部）１２とを内蔵する。ＤＳＵ部１１の入力側は、Ｕ点としてＩＳＤＮ回線に接続され、出力側はＳ／Ｔ点として他のＩＳＤＮ機器に接続される。ＴＡ部１２は、入力側がＳ／Ｔ点に内部接続され、出力側がアナログポート、ＬＡＮポート等として外部機器に接続される。
【００１８】
図１に示すように、本実施形態のＩＳＤＮ機器１０は、給電監視部１３を内蔵している。給電監視部１３は、Ｕ点（ＩＳＤＮ回線）が給電されているか否かを監視する。そして、Ｕ点が給電されている場合はＤＳＵ部１１及びＴＡ部１２の両方を動作させるが、Ｕ点が給電されていない場合はＤＳＵ部１１を動作させずにＴＡ部１２のみを動作させる。
【００１９】
この結果、ＩＳＤＮ機器１０は、Ｕ点が給電されている場合はＤＳＵ内蔵のＩＳＤＮ機器として機能し、Ｕ点が給電されていない場合はＤＳＵ無しのＩＳＤＮ機器として機能する。Ｕ点が給電されていない場合、ＤＳＵ部１１は単に信号をそのまま通過させるだけである。
【００２０】
図２は、本発明の第２実施形態によるＩＳＤＮ機器の構成を示すブロック図である。ＩＳＤＮ機器２０は、ＤＳＵ部２１とＴＡ部２２とを内蔵する。ＤＳＵ部２１の入力側はＵ点としてＩＳＤＮ回線に接続され、出力側はＳ／Ｔ点として他のＩＳＤＮ機器に接続される。ＴＡ部２２は入力側がＳ／Ｔ点に内部接続され、出力側がアナログポート、ＬＡＮポート等として外部機器に接続される。
【００２１】
本実施形態のＩＳＤＮ機器２０も給電監視部２３を内蔵しているが、この給電監視部２３は、Ｕ点ではなく、Ｓ／Ｔ点が給電されているか否かを監視する。そして、Ｓ／Ｔ点が給電されている場合はＤＳＵ部２１及びＴＡ部２２の両方を動作させるが、Ｓ／Ｔ点が給電されていない場合はＤＳＵ部２１を動作させずにＴＡ部２２のみを動作させる。
【００２２】
この結果、ＩＳＤＮ機器２０は、Ｓ／Ｔ点が給電されている場合はＤＳＵ内蔵のＩＳＤＮ機器として機能し、Ｓ／Ｔ点が給電されていない場合はＤＳＵ無しのＩＳＤＮ機器として機能する。Ｓ／Ｔ点が給電されていない場合、ＤＳＵ部２１は単に信号をそのまま通過させるだけである。
【００２３】
図３は、本発明の第３実施形態によるＩＳＤＮ機器の構成を示すブロック図である。ＩＳＤＮ機器３０は、ＤＳＵ部３１とＴＡ部３２ａ，３２ｂ，・・・，３３を内蔵する。ＤＳＵ部３１の入力側はＵ点としてＩＳＤＮ回線に接続され、出力側はＳ／Ｔ点として他のＩＳＤＮ機器に接続される。ＴＡ部３２ａ，３２ｂ，・・・，３３は入力側がＳ／Ｔ点に内部接続され、出力側がアナログポート、ＬＡＮポート等として外部機器に接続される。
【００２４】
本実施形態のＩＳＤＮ機器３０は、複数のＴＡ部３２ａ，３２ｂ，・・・，３３を備え、そのうちの一つ３３は、ＴＡ３３ａと単独動作可能な独立機能部３３ｂを有する。また、ＩＳＤＮ機器３０は、Ｕ点が給電されているか否かを監視する第１の給電監視部３４と、Ｓ／Ｔ点が給電されているか否かを監視する第２の給電監視部３５とを備えている。
【００２５】
Ｕ点及びＳ／Ｔ点が共に給電されている場合と、Ｕ点及びＳ／Ｔ点が共に給電されていない場合は、接続異常状態と判断し、Ｕ点及びＳ／Ｔ点の接続に関わりなく、独立機能部３３ｂを有するＴＡ部３３を機能させる。この場合、ＩＳＤＮ機器３０は単独動作可能な内部機能のみを有する機器として動作する。
【００２６】
Ｓ／Ｔ点が給電されており、かつ、Ｕ点が給電されていない場合は、ＤＳＵ部３１を動作させずに、ＴＡ部３２ａ，３２ｂ，・・・，３３のみを動作させる。この場合、ＩＳＤＮ機器３０はＤＳＵ無しのＩＳＤＮ機器として機能する。ＤＳＵ部３１は、単に信号をそのまま通過させるだけである。
【００２７】
Ｕ点が給電されており、かつ、Ｓ／Ｔ点が給電されていない場合は、ＤＳＵ部３１及びＴＡ部３２ａ，３２ｂ，・・・，３３を動作させる。この場合、ＩＳＤＮ機器３０はＤＳＵ内蔵のＩＳＤＮ機器として動作する。
【００２８】
図４は、本発明の第４実施形態によるＩＳＤＮ機器の構成を示すブロック図である。ＩＳＤＮ機器４０は、ＤＳＵ部４１とＴＡ部４２ａ，４２ｂ，・・・を内蔵する。ＤＳＵ部４１の入力側はＵ点としてＩＳＤＮ回線に接続され、出力側はＳ／Ｔ点として他のＩＳＤＮ機器に接続される。ＴＡ部４２ａ，４２ｂ，・・・は入力側がＳ／Ｔ点に内部接続され、出力側がアナログポート等として外部機器に接続される。
【００２９】
また、本実施形態のＩＳＤＮ機器４０は、ルーティング部４３ａとハブ（Ｈｕｂ部）４３ｂからなるルーティングハブ部４３を備え、その入力側はＳ／Ｔ点に内部接続され、出力側はＬＡＮポートとして外部機器に接続される。更にＩＳＤＮ機器４０は、第３実施形態と同様に、Ｕ点が給電されているか否かを監視する第１の給電監視部４４と、Ｓ／Ｔ点が給電されているか否かを監視する第２の給電監視部４５とを備えている。
【００３０】
Ｕ点及びＳ／Ｔ点が共に給電されている場合と、Ｕ点及びＳ／Ｔ点が共に給電されていない場合は、接続異常状態と判断し、Ｕ点及びＳ／Ｔ点の接続に関わりなく、単独動作可能なハブ機能を有するルーティングハブ４３を機能させる。この場合、ＩＳＤＮ機器４０は単独動作可能なハブ機能のみを有する機器として動作する。
【００３１】
Ｓ／Ｔ点が給電されており、かつ、Ｕ点が給電されていない場合は、ＤＳＵ部４１を動作させずに、ＴＡ部４２ａ，４２ｂ，・・・、及び、ルーティングハブ部４３のみを動作させる。この場合、ＩＳＤＮ機器４０は、ＤＳＵ無しのＩＳＤＮ機器として機能する。ＤＳＵ部３１は、単に信号をそのまま通過させるだけである。
【００３２】
Ｕ点が給電されており、かつ、Ｓ／Ｔ点が給電されていない場合は、ＤＳＵ部４１及びＴＡ部４２ａ，４２ｂ，・・・、及び、ルーティングハブ部４３を動作させる。この場合、ＩＳＤＮ機器４０は、ＤＳＵ内蔵のＩＳＤＮ機器として動作する。
【００３３】
図５は、本発明の第５実施形態によるＩＳＤＮ機器の構成を示すブロック図である。ＩＳＤＮ機器５０は、ＤＳＵ部５１とＴＡ部５２ａ，５２ｂ，・・・，５３を内蔵する。ＤＳＵ部５１の入力側はＵ点としてＩＳＤＮ回線に接続され、出力側はＳ／Ｔ点として他のＩＳＤＮ機器に接続される。ＴＡ部５２ａ，５２ｂ，・・・，５３は入力側がＳ／Ｔ点に内部接続され、出力側がアナログポート、ＬＡＮポート等として外部機器に接続される。
【００３４】
本実施形態のＩＳＤＮ機器５０は、第３実施形態のＩＳＤＮ機器と同様に、複数のＴＡ部５２ａ，５２ｂ，・・・，５３を備え、そのうちの一つ５３は、ＴＡ５３ａと単独動作可能な独立機能部５３ｂを有する。また、ＩＳＤＮ機器５０は、Ｕ点が給電されているか否かを監視する第１の給電監視部５４と、Ｓ／Ｔ点が給電されているか否かを監視する第２の給電監視部５５とを備えている。更に、ＩＳＤＮ機器５０は、エラー表示部５６をも備えている。
【００３５】
Ｕ点及びＳ／Ｔ点が共に給電されている場合と、Ｕ点及びＳ／Ｔ点が共に給電されていない場合は、接続異常状態と判断し接続異常を示すエラー表示を行うと共に、単独動作可能な内部機能のみを有する機器として動作する。
【００３６】
Ｓ／Ｔ点が給電されており、かつ、Ｕ点が給電されていない場合は、Ｓ／Ｔ点動作の表示を行うと共に、ＤＳＵ部５１を動作させずにＴＡ部５２ａ，５２ｂ，・・・，５３のみを動作させ、ＩＳＤＮ機器５０をＤＳＵ無しのＩＳＤＮ機器として機能させる。
【００３７】
Ｕ点が給電されており、かつ、Ｓ／Ｔ点が給電されていない場合は、Ｕ点動作の表示を行うと共に、ＤＳＵ部５１及びＴＡ部５２ａ，５２ｂ，・・・，５３を動作させる。この場合、ＩＳＤＮ機器５０は、ＤＳＵ内蔵のＩＳＤＮ機器として動作する。
【００３８】
図６は、本発明の第６実施形態によるＩＳＤＮ機器の構成を示すブロック図である。ＩＳＤＮ機器６０は、ＤＳＵ部６１とＴＡ部６２ａ，６２ｂ，・・・，６３を内蔵する。ＤＳＵ部６１の入力側はＵ点としてＩＳＤＮ回線に接続され、出力側はＳ／Ｔ点として他のＩＳＤＮ機器に接続される。ＴＡ部６２ａ，６２ｂ，・・・，６３は入力側がＳ／Ｔ点に内部接続され、出力側がアナログポート、ＬＡＮポート等として外部機器に接続される。
【００３９】
本実施形態のＩＳＤＮ機器６０は、第５実施形態のＩＳＤＮ機器と同様に、複数のＴＡ部６２ａ，６２ｂ，・・・，６３を備え、そのうちの一つ６３は、ＴＡ６３ａと単独動作可能な独立機能部６３ｂを有する。また、ＩＳＤＮ機器６０は、Ｕ点が給電されているか否かを監視する第１の給電監視部６４と、Ｓ／Ｔ点が給電されているか否かを監視する第２の給電監視部６５とを備えている。更に、ＩＳＤＮ機器６０は、報知音発生部６６をも備えている。
【００４０】
Ｕ点及びＳ／Ｔ点が共に給電されている場合と、Ｕ点及びＳ／Ｔ点が共に給電されていない場合は接続異常状態と判断し、接続異常を示すエラー報知音を報知音発生部６６が発生する。そして、ＩＳＤＮ機器６０は、単独動作可能な内部機能のみを有する機器として動作する。報知音発生部６６は、例えばブザー音、電子メロディー、音声合成等の手段を用いてエラー報知音を発生する。
【００４１】
Ｓ／Ｔ点が給電されており、かつ、Ｕ点が給電されていない場合は、Ｓ／Ｔ点動作の報知音を報知音発生部６６が発生する（あるいは報知音を発生しない）と共に、ＤＳＵ部６１を動作させずにＴＡ部６２ａ，６２ｂ，・・・，６３のみを動作させ、ＩＳＤＮ機器６０をＤＳＵ無しのＩＳＤＮ機器として機能させる。
【００４２】
Ｕ点が給電されており、かつ、Ｓ／Ｔ点が給電されていない場合は、Ｕ点動作の報知音を報知音発生部６６が発生する（あるいは報知音を発生しない）と共に、ＤＳＵ部６１及びＴＡ部６２ａ，６２ｂ，・・・，６３を動作させる。この場合、ＩＳＤＮ機器６０はＤＳＵ内蔵のＩＳＤＮ機器として動作する。
【００４３】
なお、上記の第５実施形態と第６実施形態とを組み合わせて、エラー表示とエラー報知音の発生の両方を実行してもよい。本発明は、上記の実施形態に限らず、種々の形態で実施することができる。
【００４４】
【発明の効果】
以上に説明したように、本発明によるＩＳＤＮ機器は、Ｕ点及びＳ／Ｔ点の少なくともいずれか一方の給電監視結果に基づいて、ＤＳＵ部の切り離しを自動的に行うので、ＩＳＤＮ網や機器の知識に乏しい不慣れな使用者であっても、容易に機器を設置し、配線及び設定を行うことができる。
【図面の簡単な説明】
【図１】本発明の第１実施形態によるＩＳＤＮ機器の構成を示すブロック図である。
【図２】本発明の第２実施形態によるＩＳＤＮ機器の構成を示すブロック図である。
【図３】本発明の第３実施形態によるＩＳＤＮ機器の構成を示すブロック図である。
【図４】本発明の第４実施形態によるＩＳＤＮ機器の構成を示すブロック図である。
【図５】本発明の第５実施形態によるＩＳＤＮ機器の構成を示すブロック図である。
【図６】本発明の第６実施形態によるＩＳＤＮ機器の構成を示すブロック図である。
【符号の説明】
１０，２０，３０，４０，５０，６０  ＩＳＤＮ機器
１１，２１，３１，４１，５１，６１  ＤＳＵ部
１２，２２，３２ａ〜３２ｃ，３３，４２ａ〜４２ｂ，５２ａ〜５２ｃ，５３，６２ａ〜６２ｃ，６３  ＴＡ部
１３，２３，３４，３５，４４，４５，５４，５５，６４，６５  給電監視部
４３  ルーティングハブ部
５６  エラー表示部
６６  報知音発生部
【図１】
0004348812.tif 000002
【図２】
0004348812.tif 000003
【図３】
0004348812.tif 000004
【図４】
0004348812.tif 000005
【図５】
0004348812.tif 000006
【図６】
0004348812.tif 000007